【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
遊技機が設置された遊技場における監視装置であって、
前記遊技機を含む遊技場内の所定領域を撮像可能に遊技場内の所定位置に設置された撮像手段と、
前記撮像手段にて撮影された画像中の変化を検出する変化検出手段と、
前記撮像手段にて撮影された画像情報を記録可能な記録手段と、
前記撮像手段にて撮影された画像上において、前記画像変化の検出を実施する画像領域を指定可能な領域指定手段と、
前記変化検出手段にて前記領域指定手段により指定された画像領域の画像中の変化が検出された際に、その時点で前記撮像手段にて撮影された画像情報を前記記録手段に記憶する制御を行う制御手段と、
を具備することを特徴とする遊技場における監視装置。
【請求項２】
前記領域指定手段は、同一の撮影画像上において前記画像領域を複数指定可能とされている請求項１に記載の遊技場における監視装置。
【請求項３】
前記領域指定手段は、前記画像領域の位置及び大きさを指定可能とされている請求項１または２に記載の遊技場における監視装置。
【請求項４】
前記領域指定手段にて指定された画像領域毎に対応する事象を登録可能な事象登録手段を備え、
前記変化検出手段により前記領域指定手段にて指定された画像領域内において前記画像の変化が検出された場合に、前記制御手段はその画像領域に対応して前記事象登録手段に登録されている事象情報を出力する請求項２または３に記載の遊技場における監視装置。
【請求項５】
前記領域指定手段により指定された画像領域毎に該当する遊技機の台番号を登録可能な台番号登録手段を備え、
前記変化検出手段により前記領域指定手段にて指定された画像領域内において前記画像の変化が検出された場合に、前記制御手段はその画像領域に対応して前記台番号登録手段に登録されている台番号を出力する請求項２〜４のいずれかに記載の遊技場における監視装置。
【請求項６】
前記制御手段は、前記領域指定手段により指定された画像領域の画像の変化が所定時間に渡って検出された場合には、異常と判断して異常信号を出力または異常の報知を行う請求項１〜５のいずれかに記載の遊技場における監視装置。
【請求項７】
前記記録手段が、画像情報をデジタルデータとして記録可能であって、各記録データにランダムアクセス可能とされている請求項１〜６のいずれかに記載の遊技場における監視装置。
【手続補正２】
【補正対象書類名】明細書
【補正対象項目名】０００５
【補正方法】変更
【補正の内容】
【０００５】
【課題を解決するための手段】
上記課題を解決するために、本発明の遊技場における監視装置は、前記遊技機を含む遊技場内の所定領域を撮像可能に遊技場内の所定位置に設置された撮像手段と、
前記撮像手段にて撮影された画像中の変化を検出する変化検出手段と、
前記撮像手段にて撮影された画像情報を記録可能な記録手段と、
前記撮像手段にて撮影された画像上において、前記画像変化の検出を実施する画像領域を指定可能な領域指定手段と、
前記変化検出手段にて前記領域指定手段により指定された画像領域の画像中の変化が検出された際に、その時点で前記撮像手段にて撮影された画像情報を前記記録手段に記憶する制御を行う制御手段と、
を具備することを特徴としている。
この特徴によれば、前記変化検出手段を設けることにより、撮像手段にて撮影された画像中の変化が検出され、これら画像に変化があった際の画像が制御手段にて記録手段に記録されるようになることから、従来のように遊技場内に各種事象を検出するための事象検出手段（センサ）を設置、並びにこれら事象検出手段（センサ）との接続を実施することなく、ビデオテープの交換頻度の低減や記録装置の記憶容量の低減が可能となるばかりか、監視装置を簡素化できるとともにその設置も容易に実施できるようになる。また、変化を検出したい所望の被写体、例えば遊技機の画像を前記画像領域として指定することにより、該画像領域内にて画像に変化が生じた場合において画像の記録が実施されるようになることから、不必要な画像の記録を防止できる。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明の遊技場における監視装置は、前記領域指定手段は、同一の撮影画像上において前記画像領域を複数指定可能とされていることが好ましい。
このようにすれば、例えば監視を行いたい複数の遊技機を同一の撮像手段であるビデオカメラにより撮影し、個々の遊技機を個別の画像領域として指定することにより、各遊技機における変化を監視できるようになるため、撮像手段であるビデオカメラの設置台数を適宜に低減することができる。
本発明の遊技場における監視装置は、前記領域指定手段は、前記画像領域の位置及び大きさを指定可能とされていることが好ましい。
このようにすれば、使用者は撮影画像上の所望の領域を指定することができる。
【手続補正５】
【補正対象書類名】明細書
【補正対象項目名】０００９
【補正方法】変更
【補正の内容】
【０００９】
本発明の遊技場における監視装置は、前記領域指定手段にて指定された画像領域毎に対応する事象を登録可能な事象登録手段を備え、
前記変化検出手段により前記領域指定手段にて指定された画像領域内において前記画像の変化が検出された場合に、前記制御手段はその画像領域に対応して前記事象登録手段に登録されている事象情報を出力することが好ましい。
このようにすれば、画像に変化が生じた画像領域に対応する事象、例えば画像領域を遊技機の画像範囲とし、その画像領域に「遊技機の開放」の事象を登録しておくことで、その画像領域に変化が生じた際に「遊技機の開放」の旨の情報が出力されるようになるため、これら出力を発生した事象の把握に用いることが可能となる。
【手続補正６】
【補正対象書類名】明細書
【補正対象項目名】００１０
【補正方法】変更
【補正の内容】
【００１０】
本発明の遊技場における監視装置は、前記領域指定手段により指定された画像領域毎に該当する遊技機の台番号を登録可能な台番号登録手段を備え、
前記変化検出手段により前記領域指定手段にて指定された画像領域内において前記画像の変化が検出された場合に、前記制御手段はその画像領域に対応して前記台番号登録手段に登録されている台番号を出力することが好ましい。
このようにすれば、画像に変化が生じた遊技機を台番号にて把握することが可能となる。
【手続補正７】
【補正対象書類名】明細書
【補正対象項目名】００１１
【補正方法】変更
【補正の内容】
【００１１】
本発明の遊技場における監視装置は、前記制御手段は、前記領域指定手段により指定された画像領域の画像の変化が所定時間に渡って検出された場合には、異常と判断して異常信号を出力または異常の報知を行うことが好ましい。
このようにすれば、例えば遊技機を開放して不正なロム等を装着する場合等では、これらの不正が発見されないようにある程度の時間に渡って複数の人間が遊技機の周囲を囲んで遊技機を隠すようにすることから、これらの不正やその他の異常等の見落としを著しく低減できる。
【手続補正８】
【補正対象書類名】明細書
【補正対象項目名】００７２
【補正方法】変更
【補正の内容】
【００７２】
（ａ）請求項１の発明によれば、前記変化検出手段を設けることにより、撮像手段にて撮影された画像中の変化が検出され、これら画像に変化があった際の画像が制御手段にて記録手段に記録されるようになることから、従来のように遊技場内に各種事象を検出するための事象検出手段（センサ）を設置、並びにこれら事象検出手段（センサ）との接続を実施することなく、ビデオテープの交換頻度の低減や記録装置の記憶容量の低減が可能となるばかりか、監視装置を簡素化できるとともにその設置も容易に実施できるようになる。また、変化を検出したい所望の被写体、例えば遊技機の画像を前記画像領域として指定することにより、該画像領域内にて画像に変化が生じた場合において画像の記録が実施されるようになることから、不必要な画像の記録を防止できる。
【手続補正９】
【補正対象書類名】明細書
【補正対象項目名】００７３
【補正方法】削除
【補正の内容】
【手続補正１０】
【補正対象書類名】明細書
【補正対象項目名】００７４
【補正方法】変更
【補正の内容】
【００７４】
（ｂ）請求項２の発明によれば、例えば監視を行いたい複数の遊技機を同一の撮像手段であるビデオカメラにより撮影し、個々の遊技機を個別の画像領域として指定することにより、各遊技機における変化を監視できるようになるため、撮像手段であるビデオカメラの設置台数を適宜に低減することができる。
（ｃ）請求項３の発明によれば、使用者は撮影画像上の所望の領域を指定することができる。